(57)【要約】【課題】家庭用機器の内室をできるだけ均等に照明することを可能にし、かつ一般的な白熱ランプに比べて熱損害を著しく減少させることを可能にする、家庭用機器のための照明装置を提供する。【解決手段】家庭用機器１０のための照明装置であって、前記家庭用機器１０の内室１２内に、支持底部１６を収容するためのブラケット１４が配置されている形式のものにおいて、当該照明装置が発光手段１８を有しており、該発光手段１８が、ブラケット１４の少なくとも１つの部分領域２０に形成されているかまたは該部分領域に組み込まれた状態で形成されているようにした。【選択図】図１
2004319453.tif 000002
【特許請求の範囲】
【請求項１】
家庭用機器（１０）のための照明装置であって、前記家庭用機器（１０）の内室（１２）内に、支持底部（１６）を収容するためのブラケット（１４）が配置されている形式のものにおいて、
当該照明装置が発光手段（１８）を有しており、該発光手段（１８）が、ブラケット（１４）の少なくとも１つの部分領域（２０）に形成されているかまたは該部分領域に組み込まれた状態で形成されていることを特徴とする、家庭用機器のための照明装置。
【請求項２】
発光手段（１８）が蛍光管を有している、請求項１記載の照明装置。
【請求項３】
発光手段（１８）が、複数の発光ダイオードの装置を有している、請求項１記載の照明装置。
【請求項４】
発光ダイオードが、発光ダイオードアレイとして配置されている、請求項３記載の照明装置。
【請求項５】
発光手段（１８）自体または発光手段に設けられたフィルタ装置が、有色に構成されており、放射される光が、これに対応する色調で現れる、請求項１から４までのいずれか１項記載の照明装置。
【請求項６】
ブラケット（１４）の少なくとも１つの部分領域（２０）自体が、発光手段として形成されている、請求項１から５までのいずれか１項記載の照明装置。
【請求項７】
ブラケット（１４）の少なくとも１つの部分領域（２０）が、光導波路（２２）として形成されており、該光導波路（２２）内に、光源（２４）の光が連結可能である、請求項１から６までのいずれか１項記載の照明装置。
【請求項８】
光源（２４）が、家庭用機器（１０）の内室（１２）の外側に配置されている、請求項７記載の照明装置。
【請求項９】
発光手段（２４）の光を連結するための連結エレメント（２６）が、光源（２４）と光導波路（２２）との間に配置されており、連結エレメント（２６）または光導波路（２２）に配置されたフィルタエレメント（２８）によって、有色の光が発生可能である、請求項１から８までのいずれか１項記載の照明装置。
【請求項１０】
ブラケット（１４）の、光導波路（２２）として形成された部分が、有色の光透過性の材料から成っている、請求項７から９までのいずれか１項記載の照明装置。
【請求項１１】
ブラケット（１４）が成形レール（３０）を有しており、該成形レール（３０）がほぼ鉛直に延びていて家庭用機器（１０）の内室（１２）内に組み付けられており、支持底部（１６）を保持するための支持エレメント（３２）が、成形レール（３０）に沿って移動可能にまたは成形レール（３０）に固定可能に配置されており、発光手段（１８）が、成形レールの少なくとも１つの部分領域に形成されている、請求項１から１０までのいずれか１項記載の照明装置。
【請求項１２】
成形レール（３０）が、家庭用機器（１０）の、ドア開口とは反対の側に位置する後ろ側の壁（３４）に配置されている、請求項１１記載の照明装置。
【発明の詳細な説明】
【技術分野】
【０００１】
本発明は、家庭用機器のための照明装置であって、前記家庭用機器の内室内に、支持底部を収容するためのブラケットが配置されている形式のものに関する。
【背景技術】
【０００２】
従来技術に基づいて、冷蔵庫の内室を照明するために、この内室の側壁にランプを取り付けることが公知である。コンタクトによって、このランプは冷蔵庫ドアの開放に際してスイッチオンされる。しかしながら、側壁にランプを配置することは、大きい冷蔵品物容器または食料品パッケージがランプを覆い隠すという欠点を有している。これにより、光効率が著しく低下させられる。なぜならば、冷蔵庫内室の大部分が、冷蔵品物によって暗くされているからである。使用される公知のランプは一般的には白熱ランプとして形成されているので、白熱ランプによって生ぜしめられた熱が冷蔵室を不必要に加熱することは、さらに不利である。
【０００３】
未公開のドイツ連邦共和国特許出願第１０２１６７６９．９号明細書に基づいて、家庭用機器内の支持底部のためのブラケットが公知である。このブラケットは成形レールを有しており、この成形レールはほぼ鉛直に延びていて冷蔵庫の内室内に組み付けられている。ブラケットは付加的に支持エレメントを有している。この支持エレメントに支持底部が設けられており、この支持エレメントは、選択的に成形レールに沿って移動可能であるかまたは成形レールに固定可能である。支持エレメントは、成形レールに沿った運動を防止されて、成形レールに固定され得る。家庭用機器における支持底部のためのこのようなブラケットは、支持底部の高さをフレキシブルに調節することを許容する。もっとも、前記のようなブラケット配置形式によっても、側壁に設けられたランプの欠点は、簡単には除かれ得ない。
【特許文献１】ドイツ連邦共和国特許出願第１０２１６７６９．９号明細書
【発明の開示】
【発明が解決しようとする課題】
【０００４】
したがって本発明の課題は、冒頭に述べた形式の、家庭用機器のための照明装置を改良して、前記のような家庭用機器の内室をできるだけ均等に照明することを可能にし、かつ一般的な白熱ランプに比べて熱損害を著しく減少することを可能にする、家庭用機器のための照明装置を提供することである。
【課題を解決するための手段】
【０００５】
この課題を解決するために本発明の構成では、当該照明装置が発光手段を有しており、該発光手段が、ブラケットの少なくとも１つの部分領域に形成されているかまたは該部分領域に組み込まれた状態で形成されているようにした。
【発明の効果】
【０００６】
このような配置形式により、家庭用機器の内室内の実質的に点状の箇所によってしか家庭用機器の内室が照明されないことが、回避される。むしろ本発明による照明装置によって、内室の照明は、ブラケットの少なくとも１つの部分領域から行われる。さらに、内室内への熱損害は、発光手段がブラケットに形成されているかもしくは該ブラケット内に組み込まれた状態で形成されており、かつ従来の白熱ランプが内室内で使用されないことによって減少される。
【０００７】
本発明の１つの実施態様によれば、発光手段は蛍光管を有しており、この蛍光管は特に、家庭用機器の内室内への、極めて僅かな熱損害によって際立っている。
【０００８】
択一的に、発光手段は、複数の発光ダイオードの装置を有していてよい。この場合、例えば１０〜１００個の発光ダイオードが、発光ダイオードアレイの形状で配置され得る。発光ダイオードは、極めて僅かなエネルギ消費量と僅かな熱損害と長い寿命とによって際立っている。
【０００９】
使用される発光ダイオードは種々異なる色で入手可能であるので、放射される光は、これに対応する色調で現れる。したがって、例えば「新鮮さ」または「冷たさ」のイメージを伴った特定の連想が、青色の色調によってユーザに暗示され得る。このために、他の実施形態に従って使用される全ての別の発光手段自体または該発光手段に設けられたフィルタ装置が、有色に構成されていてよい。放射される光の種々異なる色付けによって、家庭用機器のための従来の照明装置から逸脱して種々異なる創造的なバリエーションが実現され得る。
【００１０】
特別に有利な実施態様によれば、ブラケットの少なくとも１つの部分領域自体が、発光手段として形成されていてよい。これにより、内室をできるだけ均等に照明することが保証される。
【００１１】
この場合、ブラケットの少なくとも１つの部分領域が、光導波路として形成されていてよく、この光導波路内に、光源の光が連結され得るようになっている。特別に有利な形式では、光連結のために設けられた光源が、家庭用機器の内室の外側に配置されていてよい。このような配置形式では、運転中に熱を放出する光源が内室内には存在せず、光連結が内室の外側で行われるので、発光手段による内室内への熱損害は完全に回避される。
【００１２】
光導波路内に光を連結するために、連結エレメントが光源と光導波路との間に配置されていてよい。この場合、付加的に、連結エレメントまたは光導波路に配置されたフィルタエレメントが設けられ得る。このフィルタエレメントは、従来の白色の白熱ランプの使用時でも、有色の光を生ぜしめかつ連結する。
【００１３】
特別に簡単な構成では、ブラケットの、光導波路として形成された部分が、有色の光透過性の材料、例えばガラスまたはプラスチックから成っていてよい。これにより、有色の発光手段の使用は必要とされない。したがって発光手段の故障時には、白色の光で発光する従来の安価な発光手段、例えば白熱ランプまたは蛍光管が、交換に際して使用され得る。
【００１４】
有利な実施態様によれば、ブラケットは成形レールを有しており、この成形レールはほぼ鉛直に延びていて家庭用機器の内室内に組み付けられている。成形レールには、支持底部を保持するための支持エレメントが設けられている。この支持エレメントは成形レールに沿って移動させられ得るかまたは成形レールに固定され得る。この場合、例えば緊締結合装置または係止結合装置が使用され得る。発光手段は、有利な形式では、成形レールの少なくとも１つの領域に形成されている。
【００１５】
成形レールは、家庭用機器の、ドア開口とは反対の側に位置する後ろ側の壁に配置されていてよい。これにより、発光手段のさらなる構成もしくは簡単な接続が、家庭用機器の後壁の中もしくは後壁の後方において可能になる。
【発明を実施するための最良の形態】
【００１６】
以下に、本発明の有利な実施形態を図面につき詳しく説明する。
【００１７】
図１には、冷蔵庫１０の概略的・斜視図的な部分図を示してある。この冷蔵庫１０の内室１２内には、支持底部１６を収容するためにブラケット１４が配置されている。このブラケット１４は成形レール３０を有している。この成形レール３０は家庭用機器（冷蔵庫）１０の内室１２内でほぼ鉛直に延びていて、家庭用機器１０の、ドア開口とは反対の側に位置する後ろ側の壁３４（家庭用機器１０の後壁３４）に組み付けられている。択一的に、冷蔵庫の内室の種々異なる側壁に取り付けられた、鉛直に延びている多くの成形レールが設けられていてもよい。
【００１８】
成形レール３０には、支持底部１６を保持するための支持エレメント３２が配置されている。この支持エレメント３２は成形レール３０に沿って移動させられ得、取外し可能な固定手段（図示せず）によって成形レール３０に所望の高さで固定され得る。
【００１９】
成形レール３０は、例えば金属ステーによって強化されたプラスチックから製作された、ほぼ長円形の横断面を備えた透明な中空体を有している。成形レール３０は、択一的に、連続鋳造方法でアルミニウムから製作されていてもよい。成形レール３０の中空体は、冷蔵庫１０の内室１２内の内側の後壁に鉛直に延びている。成形レール３０の中空体の内部には、蛍光管１８が、少なくとも図示の部分領域２０に配置されている。成形レール３０の光透過性の壁は、青味がかった色調に保たれている。これにより、冷蔵庫１０の内室１２は、青味がかった光によって明るくされている。したがって、例えば「新鮮さ」または「冷たさ」のイメージを伴った特定の連想が、青色の色調によってユーザに暗示され得る。
【００２０】
択一的な実施例（図示せず）では、成形レールの中空体内に、１０〜１００個の発光ダイオードの装置が発光ダイオードアレイの形状で設けられている。成形レール３０の光透過性の壁は、澄んだ色調または白色の色調に保たれている。この場合、使用される発光ダイオードが、予め規定された色を放射し得る。
【００２１】
別の実施例（図示せず）では、成形レール３０自体が、ガラス材料からなる光導波路として形成されている。
【００２２】
図２には、連結エレメント２６によって白熱ランプ２４に連結された、家庭用機器の内室を照明するための光導波路２２の、概略的な側面図を示してある。光導波路２２のさらなる延長部（図示せず）は、光導波路として形成された成形レール３０に連結されているかまたはこの成形レール３０に移行している。連結エレメント２６は、白熱ランプ２４と光導波路２２との間で光を連結するために配置されている。連結エレメント２６もしくは光導波路２２に配置されたフィルタエレメント２８は、連結部では無色の光を、有色の光に変化させる。澄んだガラス材料を有している無色の成形レール３０が、フィルタエレメント２８によって予め規定された色で発光する。
【００２３】
しかしながら択一的に、このフィルタエレメント２８を省くことができる。この場合、成形レール３０から放射される光の所望の色付けに際して、成形レール３０の少なくとも１つの部分領域２０が、適宜な色調で染められている。
【００２４】
白熱ランプ２４は内室１２の外側で、冷蔵庫１０の後壁装置内に配置されている。これにより、光の連結時に内室１２内への熱損害は生じない。
【図面の簡単な説明】
【００２５】
【図１】冷蔵庫を概略的・斜視図的に示す部分図である。この冷蔵庫の内室内には、支持底部を収容するためにブラケットが配置されており、このブラケット内に、１つの実施例によれば、蛍光管として形成された照明装置が組み込まれている。
【００２６】
【図２】別の実施例によれば連結エレメントによって白熱ランプに連結された、家庭用機器の内室を照明するための光導波路を、概略的に示す側面図である。
【符号の説明】
【００２７】
１０  冷蔵庫（家庭用機器）、  １２  内室、  １４  ブラケット、  １６  支持底部、  １８  蛍光管、  ２０  部分領域、  ２２  光導波路、  ２４  白熱ランプ、  ２６  連結エレメント、  ２８  フィルタエレメント、  ３０  成形レール、  ３２  支持エレメント、  ３４  壁（後壁）
【図１】
2004319453.tif 000003
【図２】
2004319453.tif 000004